(57)【要約】【課題】外部装置の動作モードの設定内容によらずに外部装置を起動させ、かつ、外部装置の起動状態を確実に検出することができる情報処理技術を提供すること。【解決手段】  情報処理装置は、画像データ及び音声データの少なくとも一方の送受信を可能にする情報処理装置であって、画像及び音声の少なくとも一方を出力する外部装置へ画像データ及び音声データの少なくとも一方を送信する第１送信部と、外部装置を起動または停止させるための無線制御信号を送信する第２送信部と、外部装置が起動しているか否かを検出する第１検出部１５３と、を備える。【選択図】図１
2019220743.tif 000002
【特許請求の範囲】
【請求項１】
画像データ及び音声データの少なくとも一方の送受信を可能にする情報処理装置であって、
画像及び音声の少なくとも一方を出力する外部装置へ前記画像データ及び前記音声データの少なくとも一方を送信する第１送信部と、
前記外部装置を起動または停止させるための無線制御信号を送信する第２送信部と、
前記外部装置が起動しているか否かを検出する第１検出部と、
を備える、
情報処理装置。
【請求項２】
前記第２送信部は、前記無線制御信号として、前記外部装置の起動状態と停止状態とを切り替える赤外線信号を送信する赤外線送信部を備える、
請求項１に記載の情報処理装置。
【請求項３】
前記外部装置とＨＤＭＩケーブルで接続され、
前記第１検出部は、前記ＨＤＭＩケーブルを介して、前記外部装置の起動状態を問い合わせることにより、前記外部装置が起動しているか否かを検出する、
請求項１又は２に記載の情報処理装置。
【請求項４】
前記外部装置を含む所定の範囲を撮像する撮像部をさらに備え、
前記第１検出部は、撮像されることによって取得された画像情報に基づいて、前記外部装置が起動しているか否かを検出する、
請求項１又は２に記載の情報処理装置。
【請求項５】
１又は複数のユーザを検出する第２検出部をさらに備え、
前記第２送信部は、前記１又は複数のユーザを検出した場合に、前記無線制御信号を送信する、
請求項１又は２に記載の情報処理装置。
【請求項６】
前記情報処理装置が利用されるイベントの進行に係る時間情報を含むスケジュール情報を取得するスケジュール情報取得部と、
前記時間情報が所定の設定条件を満たしているか否かを判定する判定部と、をさらに備え、
前記第２送信部は、前記時間情報が前記所定の設定条件を満たす場合に、前記無線制御信号を送信する、
請求項１又は２に記載の情報処理装置。
【請求項７】
前記情報処理装置が利用されるイベントについ当該ベントの参加者ＩＤを含むスケジュール情報を取得するスケジュール情報取得部と、
前記参加者ＩＤで特定されるユーザによる接続を判定する判定部と、をさらに備え、
前記第２送信部は、前記参加者ＩＤで特定されるユーザによる接続を判定した場合に、前記無線制御信号を送信する、
請求項１又は２に記載の情報処理装置。
【請求項８】
前記第２送信部は、前記外部装置の起動が検出されない場合は、前記無線制御信号を再送する、
請求項１から７のいずれか一項に記載の情報処理装置。
【請求項９】
画像データ及び音声データの少なくとも一方の送受信を可能にするコンピュータに、
画像及び音声の少なくとも一方を出力する外部装置へ前記画像データ及び前記音声データの少なくとも一方を送信する第１送信機能と、
前記外部装置を起動または停止させるための無線制御信号を送信する第２送信機能と、
前記外部装置が起動しているか否かを検出する検出機能と、を実現させる、
プログラム。
【請求項１０】
画像データ及び音声データの少なくとも一方の送受信を可能にするコンピュータが、
画像及び音声の少なくとも一方を出力する外部装置へ前記画像データ及び前記音声データの少なくとも一方を送信するステップと、
前記外部装置を起動または停止させるための無線制御信号を送信するステップと、
前記外部装置が起動しているか否かを検出するステップと、含む、
情報処理方法。
【発明の詳細な説明】
【技術分野】
【０００１】
本発明は、情報処理装置、プログラム及び情報処理方法に関する。
【背景技術】
【０００２】
デジタル映像や音声等の入出力インタフェース規格であるＨＤＭＩ（登録商標）（High Definition Multimedia Interface）によってデータ送信装置であるプレイヤ装置と、データ受信装置であるディスプレイ装置と、が接続されている場合、ＨＤＭＩで規定されるＣＥＣ（Consumer Electronics Control）機能（以下、「ＣＥＣ機能」という）によって装置間制御が実施可能である。下記特許文献１には、外部装置からの起動の監視及び電源部への起動コマンドの供給にＨＤＭＩのＣＥＣ機能を利用する映像表示装置が開示されている。
【先行技術文献】
【特許文献】
【０００３】
【特許文献１】特許第５０７３０３４号
【発明の概要】
【発明が解決しようとする課題】
【０００４】
ここで、プレイヤ装置がＣＥＣ機能を利用して、特許文献１に記載されているような従来の映像表示装置を起動させる際、映像表示装置の動作モードにおいてＣＥＣ機能による起動を許容しない設定になっている場合は、映像表示装置を起動させることができない。このように、映像表示装置の動作モードの設定内容によっては、ＣＥＣ機能を利用してプレイヤ装置から映像表示装置を起動できない問題があった。
【０００５】
そこで、本発明は、外部装置の動作モードの設定内容によらずに外部装置を起動させ、かつ、外部装置の起動状態を確実に検出することができる情報処理技術を提供することを目的とする。
【課題を解決するための手段】
【０００６】
本発明の一態様に係る情報処理装置は、画像データ及び音声データの少なくとも一方の送受信を可能にする情報処理装置であって、画像及び音声の少なくとも一方を出力する外部装置へ画像データ及び音声データの少なくとも一方を送信する第１送信部と、外部装置を起動または停止させるための無線制御信号を送信させる第２送信部と、外部装置が起動しているか否かを検出する第１検出部と、を備える。
【０００７】
この態様によれば、画像及び音声の少なくとも一方を出力する外部装置を起動または停止させるための無線制御信号を送信することで外部装置を起動させることにより、外部装置の設定状態等によらずに外部装置を起動させることができる。また、外部装置が起動しているか否かを検出することにより、外部装置の起動状態を確実に検出することができる。
【発明の効果】
【０００８】
本発明によれば、外部装置の動作モードの設定内容によらずに外部装置を起動させ、かつ、外部装置の起動状態を確実に検出することができる。
【図面の簡単な説明】
【０００９】
【図１】本実施形態に係る会議管理システムの概要を説明するための図である。
【図２】本実施形態に係る会議管理装置のハードウェア構成の一例を示す図である。
【図３】本実施形態に係る会議管理装置の機能構成の一例を示す図である。
【図４】本実施形態に係る会議管理装置の動作例を示す図である。
【発明を実施するための形態】
【００１０】
添付図面を参照して、本発明の好適な実施形態について説明する。なお、各図において、同一の符号を付したものは、同一又は同様の構成を有する。
【００１１】
以下の実施形態では、情報処理装置が利用される「イベント」の一例として「会議」を挙げたが、これに限られず、他の行事や催し物であってもよい。また、以下の実施形態では、「外部装置」の一例として「ディスプレイ装置」を挙げたが、これに限られない。例えば、「外部装置」は、プロジェクタやスピーカ等の画像及び音声の少なくとも一方を出力する他の出力装置を含む。
【００１２】
（１．概要）
図１を参照して、本実施形態に係る会議管理システムの概要を説明する。図１に示すように、会議管理システム５００は、例示的に、画像データ及び音声データの少なくとも一方の送受信を可能にする会議管理装置１００（情報処理装置）と、会議に用いられる電子機器である画像データ及び音声データを出力するディスプレイ装置２００（外部装置）と、を含んで構成される。また、例えば、会議管理装置１００とディスプレイ装置２００とは、ＨＤＭＩケーブル４００を介して接続されている。会議管理装置１００の機能的構成の詳細については、後述する。
【００１３】
会議管理システム５００において、会議管理装置１００は、管理対象の会議が行われる会議室等の場所に入室する参加者３００を検出する（図１の（１））。会議管理装置１００は、会議の参加者３００を検出すると、この会議が間もなく開始される状況であるとして、会議資料等を表示するディスプレイ装置２００を起動させる（図１の（２））。具体的には、会議管理装置１００は、ディスプレイ装置２００を起動または停止させるための無線制御信号（例えば、リモコン信号等）をディスプレイ装置２００に送信する。
【００１４】
会議管理装置１００は、無線制御信号を送信してから第１所定時間経過後に、ＨＤＭＩケーブル４００を介して、ディスプレイ装置２００が起動または停止しているか否かを検出する。具体的には、会議管理装置１００は、ＨＤＭＩのＣＥＣ機能を用いて、ディスプレイ装置２００に対して起動状態を問い合わせるための問い合わせ信号を送信する（図１の（３））。ディスプレイ装置２００は、起動している場合、この問い合わせ信号を受信すると、起動状態を応答するための応答信号を会議管理装置１００に送信する（図１の（４））。「第１所定時間」とは、会議管理装置１００がディスプレイ装置２００に対して無線制御信号を送信してから、この無線制御信号による起動または停止を検出するまでの時間を含む。
【００１５】
会議管理装置１００は、この応答信号を受信して、ディスプレイ装置２００が起動していることを検出する。なお、仮に、ディスプレイ装置２００が起動していない場合は、会議管理装置１００は、この応答信号を受信できない。このため、会議管理装置１００は、一定の時間この応答信号を受信できなかった場合は、ディスプレイ装置２００が起動していないことを検出してもよい。
【００１６】
上記構成によれば、会議室に入室する参加者３００を検出するだけで、会議に用いられるディスプレイ装置２００を自動で起動することができ、かつ、実際にディスプレイ装置２００を起動できたかどうかを検出することができる。
【００１７】
（２．構成）
（２−１．会議管理装置のハードウェア構成）
図２を参照して、本実施形態に係る会議管理装置のハードウェア構成例について説明する。図２に示すように、本実施形態に係る会議管理装置１００は、例示的に、プロセッサ１１０と、記憶装置１１５と、通信Ｉ／Ｆ（インタフェース）１２０と、接続Ｉ／Ｆ１２５とを備える。また、会議管理装置１００は、例えば、カメラ１３０、マイクロフォン１３５、人感センサ１４０又はスピーカー１４５を備えてもよい。
【００１８】
プロセッサ１１０は、データの演算、加工及び転送、並びにプログラムの実行等を担う処理装置である。
【００１９】
記憶装置１１５は、主記憶装置（例えば、揮発性メモリ又はランダムアクセスメモリ等）、補助記憶装置（例えば、不揮発性メモリ等）又は外部記憶装置等のプログラムやデータを記憶する装置である。
【００２０】
通信Ｉ／Ｆ１２０は、ディスプレイ装置２００との間でデータや制御信号の送受信を行う装置である。通信Ｉ／Ｆ１２０は、例えば、携帯電話の通信網用のインタフェースや、Wi-Fiネットワーク等の無線ＬＡＮ用のインタフェースを含む。通信Ｉ／Ｆ１２０は、有線のインタフェースを含んでもよい。また、通信Ｉ／Ｆは、ディスプレイ装置２００を制御するための無線制御信号の送信を行う。「無線制御信号」とは、会議管理装置１００からディスプレイ装置２００等を制御するためのリモコン信号であり、例えば、ＩｒＤＡ（Infrared Data Association）規格の赤外線信号等のアナログ信号である。また、無線制御信号は、無線ＬＡＮ用のインタフェースを利用したデジタル信号であってもよい。
【００２１】
接続Ｉ／Ｆ１２５は、会議管理装置１００とディスプレイ装置２００とを接続して、両装置間で制御信号をやり取りするための装置である。接続Ｉ／Ｆ１２５は、例えば、ＨＤＭＩコントローラ及びＨＤＭＩ端子を含んで構成され、会議管理装置１００とディスプレイ装置とをＨＤＭＩケーブルで接続させてもよい。更に、接続Ｉ／Ｆ１２５は、ＨＤＭＩケーブルで会議管理装置１００とディスプレイ装置とを接続する場合に、ＣＥＣ機能の制御信号（以下、「ＣＥＣ制御信号」という）を送受信させてもよい。
【００２２】
カメラ１３０は、画像（静止画又は動画）を撮像する装置である。カメラ１３０は、所定の範囲を撮像することにより取得される画像情報を記憶装置１１５に記録する。カメラ１３０は、会議管理装置１００の外部に設けられてもよい。
【００２３】
マイクロフォン１３５は、会議管理装置１００の周囲の音声（例えば、会議の参加者３００等が発する音声等）を入力する装置である。
【００２４】
人感センサ１４０は、赤外線、超音波又は可視光等を用いて、人の所在を検知する装置である。人感センサ１４０は、会議管理装置１００の外部に設けられてもよい。
【００２５】
スピーカー１４５は、音声を出力する装置である。スピーカー１４５は、会議管理装置１００の外部に設けられてもよい。
【００２６】
（２−２．端末装置の機能構成）
図３を参照して、本実施形態に係る会議管理装置の機能構成例について説明する。図３に示すように、本実施形態に係る会議管理装置１００は、例示的に、制御部１５０と、記憶部１６０と、通信部１６５と、接続部１７０とを備える。また、会議管理装置１００は、例えば、撮像部１７５、音声入力部１８０、人感センサ部１８５又は音声出力部１９０を備えてもよい。
【００２７】
図３に示す各機能は、会議管理装置１００のハードウェア及びソフトウェアによって実現される。具体的には、記憶装置１１５の記憶領域を用いたり、記憶装置１１５に格納されたプログラムをプロセッサ１１０が実行したりすることにより実現することができる。
【００２８】
制御部１５０は、例示的に、ディスプレイ装置２００を起動させる無線制御信号を送信させる信号送信部（第２送信部）１５２と、ディスプレイ装置２００の起動状態を検出する第１検出部１５３と、ディスプレイ装置２００へ画像データ及び音声データの少なくとも一方を送信するデータ送信部１５６（第１送信部）と、を備える。また、制御部１５０は、例えば、会議の状況を判定する判定部１５１、会議の参加者３００を検出する第２検出部１５４、ディスプレイ装置２００の起動状態を通知する通知部１５５又は会議のスケジュール情報を取得するスケジュール情報取得部１５７を備えてもよい。制御部１５０は、図２のプロセッサ１１０に相当する。
【００２９】
判定部１５１は、会議の状況を判定する。「会議の状況」とは、会議の開始、中断、再開又は終了等の会議の様子をいう。
【００３０】
判定部１５１は、例えば、会議の進行に係る時間情報が所定の設定条件を満たしているか否かを判定することができる。「会議の進行に係る時間情報」とは、例えば、現在時刻を示す時刻情報を含む。また、「所定の設定条件」とは、例えば、現在時刻が会議の開始予定時刻に到達しているか否か、または、現在時刻が会議の終了予定時刻に到達しているか否かといった設定条件である。
【００３１】
判定部１５１は、具体的には、スケジュールサーバ等からスケジュール情報取得部１５７を介して取得され、記憶部１６０等に予め登録されている会議の開始予定時刻及び終了予定時刻等の情報（会議のスケジュール情報）を参照して、現在時刻が、会議の開始予定時刻または終了予定時刻に到達する場合は、設定条件を満たしていると判定する。
【００３２】
判定部１５１は、あるユーザの端末装置が会議管理システム５００に接続された場合に、会議の状況が開始になったとみなす構成としてもよい。この場合、例えば、スケジュール情報取得部１５７がスケジュールサーバから会議の参加者のＩＤ情報を含むスケジュール情報を取得して、記憶部１６０等に予め登録される。予め記憶部１６０等に登録するのではなく、処理に必要な時にスケジュールサーバに問い合わせる構成としてもよい。判定部１５１は、会議管理システム５００にユーザの端末（不図示）が接続される際に、当該端末のユーザＩＤを取得する。当該端末のユーザＩＤと、スケジュール情報に含まれる参加者のＩＤを比較し、合致する場合に会議の状況が会議の状況が開始と判定する。
【００３３】
信号送信部１５２は、会議の状況に応じて、ディスプレイ装置２００を起動（電源オン）させるための無線制御信号を送信する。
【００３４】
信号送信部１５２は、具体的には、判定部１５１により「会議の開始」が判定されると、ディスプレイ装置２００を起動させるための無線制御信号を通信部１６５から、送信することができる。また、信号送信部１５２は、判定部１５１により「会議の終了」が判定されると、ディスプレイ装置２００を終了（電源オフ）させるための無線制御信号を通信部１６５に送信することもできる。
【００３５】
通信部１６５は、制御部１５０の制御によって、ディスプレイ装置２００に、ディスプレイ装置２００を起動させるための無線制御信号を送信する機能部であり、図２の通信Ｉ／Ｆ１２０に相当する。
【００３６】
信号送信部１５２は、例えば、判定部１５１において、所定の設定条件を満たしたと判定される場合は、通信部１６５から無線制御信号を送信する。この構成によれば、起動させるための操作入力をしなくとも、会議の進行に合わせてディスプレイ装置２００を起動させることができる。信号送信部１５２は、無線制御信号として、例えば、ディスプレイ装置２００の起動状態と停止状態とを切り替えるトグル信号を赤外線信号で送信する赤外線送信部（不図示）を備える。
【００３７】
信号送信部１５２は、例えば、後述の第１検出部１５３により、一定の時間、ディスプレイ装置２００が起動していることが検出されない場合は、通信部１６５に無線制御信号を再送させてもよい。この構成によれば、ディスプレイ装置２００の起動に失敗した場合でも、自動で、再度ディスプレイ装置２００の起動を試みることができる。また、信号送信部１５２は、例えば、この再送処理にあたり、再送回数に上限を設けて、当該上限を超えないように通信部１６５に再送させてもよい。
【００３８】
第１検出部１５３は、ディスプレイ装置２００が起動しているか否かを検出する。信号送信部１５２が送信する赤外線信号は、トグル信号であるからこそ、第１検出部１５３による、ディスプレイ装置２００の起動状態の確認が必要になる。第１検出部１５３は、例えば、ＨＤＭＩケーブルを介して、ＣＥＣ機能を用いることで、ディスプレイ装置２００の起動状態を問い合わせることにより、ディスプレイ装置２００が起動しているか否かを検出してもよい。この構成によれば、ディスプレイ装置２００に映像を表示させる等のために接続されているＨＤＭＩケーブル等を利用して、ディスプレイ装置２００が起動しているか否かを検出することができる。
【００３９】
第１検出部１５３は、例えば、接続部１７０においてＨＤＭＩケーブルでディスプレイ装置２００と接続させた状態で、当該接続においてディスプレイ装置２００にディスプレイ装置２００の起動状態をＣＥＣ制御信号で問い合わせる。その後、第１検出部１５３は、ディスプレイ装置２００からのこの問い合わせに対するＣＥＣ制御信号の応答に基づいて、ディスプレイ装置２００が起動しているか否かを検出する。例えば、第１検出部１５３は、起動状態が「電源オン」であることを示す信号を含む制御信号をディスプレイ装置２００から所定時間の間に受信できなかった場合は、ディスプレイ装置２００が起動していないことを検出する。接続部１７０は、制御部１５０の制御によって、会議管理装置１００とディスプレイ装置２００とを接続させて、両装置間において双方向で制御信号をやり取りさせる機能部であり、接続部１７０は、図２の接続Ｉ／Ｆ１２５に相当する。
【００４０】
第１検出部１５３は、例えば、撮像部１７５により撮像されたディスプレイ装置２００を含む所定の範囲の画像情報を解析することにより、ディスプレイ装置２００が起動しているか否かを検出してもよい。撮像部１７５は、制御部１５０の制御によって、撮像して画像情報を取得する機能部であり、撮像部１７５は、図２のカメラ１３０に相当する。
【００４１】
第１検出部１５３は、具体的には、画像認識技術を用いて、撮像されたことにより取得された画像情報と、予め記憶部１６０等に登録したディスプレイ装置２００の終了の状態を表す特徴パターン（例えば、ディスプレイ装置２００のオフ状態の画面等）とを照合させて、照合の結果、画像情報と特徴パターンが所定の割合で一致しない場合には、ディスプレイ装置２００が起動していることを検出してもよい。
【００４２】
また、それとは逆に、第１検出部１５３は、この画像情報と、この特徴パターンとを照合させて、照合の結果、画像情報と特徴パターンが所定の割合で一致していれば、ディスプレイ装置２００が起動していないことを検出してもよい。「所定の割合」とは、画像情報に表されたディスプレイ装置２００の起動状態と、ディスプレイ装置２００の終了状態を表す特徴パターンとが同じ起動状態であるとみなすか否かの閾値を設定したものであり、８０、９０％等適宜設定すればよい。
【００４３】
この構成によれば、ディスプレイ装置２００の設定状態はもちろんのこと、ディスプレイ装置２００の種類や周辺環境（例えば、無線ＬＡＮ等の通信ネットワークがない環境等）によらずにディスプレイ装置２００の起動状態を検出することができる。
【００４４】
第２検出部１５４は、１又は複数のユーザを検出する。第２検出部１５４は、例えば、人感センサ部１８５による所定の領域における検知結果に基づいて、１又は複数のユーザを検出する。人感センサ部１８５は、所定の領域において１又は複数の人がいることを検知する機能部であり、図２の人感センサ１４０に相当する。「所定の領域」とは、人感センサ部１８５が１又は複数の人がいるか否かを捉えられる領域を含む。そして、信号送信部１５２は、第２検出部１５４により、１又は複数のユーザを検出した場合は、ディスプレイ装置２００の起動のための無線制御信号を通信部１６５から送信する。この構成によれば、少なくとも一のユーザの会議室への入室が検出されると、会議の状況が開始したと判定し、ディスプレイ装置２００を起動させることができる。このため、ユーザ等によるディスプレイ装置２００を起動するための操作入力がなくともディスプレイ装置２００を起動させることができる。
【００４５】
また、例えば、ユーザすべての会議室からの退出が検出されると、ディスプレイ装置２００を停止するための無線制御信号を通信部１６５から送信する。この構成によれば、ユーザすべての会議室からの退出が検出されると、会議が終了したと判定して、ディスプレイ装置２００を停止させることができる。このため、ユーザ等によるディスプレイ装置２００を停止させるための操作入力がなくともディスプレイ装置２００を停止させることができる。なお。信号送信部１５２は、例えば、第２検出部１５４により、ユーザすべての会議室からの退出を検出してすぐにディスプレイ装置２００を停止するのではなく、ユーザすべての会議室からの退出を検出した後の第２所定時間の間、１又は複数のユーザを検出できない場合に、会議の終了と判定して、ディスプレイ装置２００を停止させる無線制御信号を通信部１６５から送信するように構成してもよい。「第２所定時間」とは、会議の状況に応じたユーザの存在や状況を検出するために必要な時間である。
【００４６】
第２検出部１５４は、他の例として、音声入力部１８０により取得された会議管理装置１００の周囲の音声から、人が発する音声を検出することで、会議の１又は複数の参加者３００（ユーザ）を検出することで、会議の状況が開始したと判定する構成にしてもよい。音声入力部１８０は、制御部１５０の制御によって、音声を入力して、音声情報を取得する機能部であり、図２のマイクロフォン１３５に相当する。また、第２検出部１５４は、他の例として、撮像部１７５により撮像されたディスプレイ装置２００を含む所定の範囲の画像を解析することにより、会議の１又は複数の参加者３００を検出してもよい。具体的には、第２検出部１５４は、会議室のドア周辺の領域を撮像して、当該撮像することによって取得された画像情報と、予め記憶部１６０に登録した１又は複数の参加者３００の存在を表す特徴パターンとを照合させる。第２検出部１５４は、照合の結果に基づいて、会議の１又は複数の参加者３００を検出してもよい。「所定の範囲」とは、撮像部１７５が撮像の際に捉えられる範囲を含む。
【００４７】
通知部１５５は、例えば、第１検出部１５３が検出したディスプレイ装置２００が起動しているか否かを音声出力部１９０に音声出力させることで会議の参加者３００等に通知する。音声出力部１９０は、制御部１５０の制御によって、判定部１５１により判定された会議の状況やディスプレイ装置２００の起動状態等を音声出力する機能部であり、図２のスピーカー１４５に相当する。
【００４８】
通知部１５５は、例えば、第１検出部１５３により起動していることが検出された場合は「起動成功」と、また、少なくとも１回以上起動していないことが検出された場合「起動失敗」といった起動の状況を音声出力部１９０に音声出力させることで会議の参加者３００等に通知してもよい。また、通知部１５５は、例えば、判定部１５１が判定した会議の状況を音声出力部１９０に音声出力させることで会議の参加者３００等に通知してもよい。この構成によれば、会議の参加者３００がディスプレイ装置２００を確認できる場所にいない場合に、ディスプレイ装置２００の起動状態や起動状況等を知らせることができる。
【００４９】
記憶部１６０は、本実施形態に係る会議管理機能を有する会議管理プログラムを記憶する。また、記憶部１６０は、スケジュール情報取得部１５７がスケジュールサーバ等から取得した会議のスケジュール情報、撮像部１７５により撮像された画像情報、ディスプレイ装置２００の終了の状態を表す特徴パターンを示す情報、又は１又は複数の参加者３００の存在を表す特徴パターン示す情報等を記憶してもよい。記憶部１６０は、図２の記憶装置１１５に相当する。
【００５０】
（３．動作）
図４を参照して、本実施形態に係る会議管理装置１００の動作例について説明する。図４は、会議管理装置１００によるディスプレイ装置２００の起動制御処理の流れを示すフロー図である。
【００５１】
まず、会議管理装置１００は、ディスプレイ装置２００の起動状態について問い合わせて当該起動状況を確認する。ディスプレイ装置２００の起動状態の検出方法としては、上述した様々な手法を取りうる。例えば、会議管理装置１００とディスプレイ装置２００とがＨＤＭＩケーブルで接続されている場合、会議管理装置１００は、ディスプレイ装置２００の起動状態を、ＨＤＭＩケーブルを介してＣＥＣ制御信号で問い合わせる。そして、会議管理装置１００は、ディスプレイ装置２００からのこの問い合わせに対するＣＥＣ制御信号の応答に基づいて、ディスプレイ装置２００の起動の有無を検出する。具体的に、会議管理装置１００は、ディスプレイ装置２００の起動を検出する場合（Ｓ１０のＮＯ）、再度、ディスプレイ装置２００の起動状態について問い合わせて当該起動状況を確認する。他方で、会議管理装置１００は、ディスプレイ装置２００の起動を検出しなかった場合（Ｓ１０のＹＥＳ）、ステップＳ１１に進む。
【００５２】
次に、会議管理装置１００は、イベントドリブン又は固定サイクルで、会議の状況を判定する。会議管理装置１００は、例えば、会議に参加している１又は複数の参加者３００を検出することで、会議の開始を判定してもよい。会議管理装置１００は、判定した会議の状況が「会議の開始」である場合（Ｓ１１のＹＥＳ）、ディスプレイ装置２００を起動させるための無線制御信号をディスプレイ装置２００に送信する（Ｓ１２）。他方で、会議管理装置１００は、判定した会議の状況が「会議の開始」でない場合（Ｓ１１のＮＯ）、起動制御処理を終了する。
【００５３】
会議管理装置１００は、無線制御信号を送信してから第１所定時間経過後にディスプレイ装置２００が起動しているか否かを検出する。会議管理装置１００は、ディスプレイ装置２００の起動を検出する場合（Ｓ１３のＹＥＳ）、起動制御処理を終了する。他方で、会議管理装置１００は、ディスプレイ装置２００の起動を検出できない場合（Ｓ１３のＮＯ）、ステップＳ１２に戻って、ディスプレイ装置２００を起動させるための無線制御信号の送信等を再度行う。
【００５４】
前述の各処理ステップは、処理内容に矛盾を生じない範囲で、任意に順番を変更して若しくは並列に実行することができ、また、各処理ステップ間に他のステップを追加しても良い。更に、１つのステップとして記載されているステップは複数のステップに分けて実行することもでき、複数に分けて記載されているステップを１ステップとして実行することもできる。
【００５５】
［変形例］
本発明を上記実施形態に基づいて説明したが、本発明はこれらの形態に限定されない。以下のような変形例も本発明に含まれる。
【００５６】
外部装置を起動または停止させるための無線制御信号を送信するトリガーとして様々な形態を含む。例えば、判定部１５１は、ユーザが操作する端末装置の、図１に示す会議管理システム５００への接続の有無を検出することによって、会議状況を判定してもよい。具体的に、会議管理装置１００における画像や音声の入力端子等を介して、画像データや音声データの入力を検出することによって、端末装置の接続の有無を判定する。そして、判定部１５１は、少なくとも一台の端末装置が会議管理システム５００に接続する場合に、会議の状況を「会議の開始」と判定してもよい。他方、判定部１５１は、会議管理システム５００に接続している端末装置の全ての接続が解除される場合に、会議の状況を「会議の終了」と判定してもよい。なお、判定部１５１は、特定の端末装置の、会議管理システム５００への接続の有無に応じて、会議の状況を判定してもよい。
【００５７】
判定部１５１は、会議管理装置１００等の端末装置において会議に用いられるツールの動作状況に応じて会議状況を判定してもよい。例えば、制御部１５０等が、端末装置上の資料データ閲覧ソフト等のツールによって会議に用いられるプレゼンテーション資料が開かれたことを検出した場合、判定部１５１は、会議の状況を「会議の開始」と判定してもよい。また、制御部１５０等がこの閲覧ソフト等のツールによってプレゼンテーション資料が閉じられたことを検出した場合、判定部１５１は、会議の状況を「会議終了」と判定してもよい。
【００５８】
上記実施の形態では、ディスプレイ装置２００の起動状況等を音声出力により会議の参加者３００等のユーザに通知する例を説明したが、通知の態様はこれに限定されず、例えば、ユーザが保有するスマートフォン等の端末にディスプレイ装置２００の起動状況等を表示出力することで通知してもよい。
【００５９】
上記実施の形態では、判定部１５１の判定結果、第２検出部１５４の検出結果に応じてディスプレイ装置２００の起動のための無線制御信号を通信部１６５から送信する例を示したが、判定部１５１の判定結果と第２検出部１５４の検出結果のいずれか一方に応じてディスプレイ装置２００の起動のための無線制御信号を通信部１６５から送信する構成としてもよい。
【００６０】
［他の実施形態］
上記実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【符号の説明】
【００６１】
１００…会議管理装置、１５１…判定部、１５２…信号送信部、１５３…第１検出部、１５４…第２検出部、１５６…データ送信部、１５７…スケジュール情報取得部、１７５…撮像部、４００…ＨＤＭＩケーブル
【図１】
2019220743.tif 000003
【図２】
2019220743.tif 000004
【図３】
2019220743.tif 000005
【図４】
2019220743.tif 000006
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
画像データ及び音声データの少なくとも一方の送受信を可能にする情報処理装置であって、
画像及び音声の少なくとも一方を出力する外部装置へ前記画像データ及び前記音声データの少なくとも一方を送信する第１送信部と、
前記外部装置を起動または停止させるための無線制御信号を送信する第２送信部と、
前記外部装置が起動しているか否かを検出する第１検出部と、
を備え、
前記第１検出部は、ＨＤＭＩケーブルを介して、前記外部装置の起動状態を問い合わせることにより、前記外部装置が起動しているか否かを検出する、
情報処理装置。
【請求項２】
前記第２送信部は、前記無線制御信号として、前記外部装置の起動状態と停止状態とを切り替える赤外線信号を送信する赤外線送信部を備える、
請求項１に記載の情報処理装置。
【請求項３】
前記外部装置を含む所定の範囲を撮像する撮像部をさらに備え、
前記第１検出部は、撮像されることによって取得された画像情報に基づいて、前記外部装置が起動しているか否かを検出する、
請求項１又は２に記載の情報処理装置。
【請求項４】
１又は複数のユーザを検出する第２検出部をさらに備え、
前記第２送信部は、前記１又は複数のユーザを検出した場合に、前記無線制御信号を送信する、
請求項１又は２に記載の情報処理装置。
【請求項５】
前記情報処理装置が利用されるイベントの進行に係る時間情報を含むスケジュール情報を取得するスケジュール情報取得部と、
前記時間情報が所定の設定条件を満たしているか否かを判定する判定部と、をさらに備え、
前記第２送信部は、前記時間情報が前記所定の設定条件を満たす場合に、前記無線制御信号を送信する、
請求項１又は２に記載の情報処理装置。
【請求項６】
前記情報処理装置が利用されるイベントの参加者ＩＤを含むスケジュール情報を取得するスケジュール情報取得部と、
前記参加者ＩＤで特定されるユーザによる接続を判定する判定部と、をさらに備え、
前記第２送信部は、前記参加者ＩＤで特定されるユーザによる接続を判定した場合に、前記無線制御信号を送信する、
請求項１又は２に記載の情報処理装置。
【請求項７】
前記第２送信部は、前記外部装置の起動が検出されない場合は、前記無線制御信号を再送する、
請求項１から６のいずれか一項に記載の情報処理装置。
【請求項８】
画像データ及び音声データの少なくとも一方の送受信を可能にするコンピュータに、
画像及び音声の少なくとも一方を出力する外部装置へ前記画像データ及び前記音声データの少なくとも一方を送信する第１送信機能と、
前記外部装置を起動または停止させるための無線制御信号を送信する第２送信機能と、
前記外部装置が起動しているか否かを検出する検出機能と、を実現させ、
前記検出機能は、ＨＤＭＩケーブルを介して、前記外部装置の起動状態を問い合わせることにより、前記外部装置が起動しているか否かを検出する、
プログラム。
【請求項９】
画像データ及び音声データの少なくとも一方の送受信を可能にするコンピュータが、
画像及び音声の少なくとも一方を出力する外部装置へ前記画像データ及び前記音声データの少なくとも一方を送信するステップと、
前記外部装置を起動または停止させるための無線制御信号を送信するステップと、
前記外部装置が起動しているか否かを検出するステップと、を含み、
前記検出するステップは、ＨＤＭＩケーブルを介して、前記外部装置の起動状態を問い合わせることにより、前記外部装置が起動しているか否かを検出する、
情報処理方法。
【請求項１０】
画像データ及び音声データの少なくとも一方の送受信を可能にする情報処理装置であって、
画像及び音声の少なくとも一方を出力する外部装置へ前記画像データ及び前記音声データの少なくとも一方を送信する第１送信部と、
前記外部装置を起動または停止させるための無線制御信号を送信する第２送信部と、
前記外部装置が起動しているか否かを検出する第１検出部と、
前記情報処理装置が利用されるイベントの参加者ＩＤを含むスケジュール情報を取得するスケジュール情報取得部と、
前記参加者ＩＤで特定されるユーザによる接続を判定する判定部と、を備え、
前記第２送信部は、前記参加者ＩＤで特定されるユーザによる接続を判定した場合に、前記無線制御信号を送信する、
情報処理装置。
【請求項１１】
画像データ及び音声データの少なくとも一方の送受信を可能にするコンピュータに、
画像及び音声の少なくとも一方を出力する外部装置へ前記画像データ及び前記音声データの少なくとも一方を送信する第１送信機能と、
前記外部装置を起動または停止させるための無線制御信号を送信する第２送信機能と、
前記外部装置が起動しているか否かを検出する検出機能と、
前記情報処理装置が利用されるイベントの参加者ＩＤを含むスケジュール情報を取得するスケジュール情報取得機能と、
前記参加者ＩＤで特定されるユーザによる接続を判定する判定機能と、を実現させ、
前記第２送信機能は、前記参加者ＩＤで特定されるユーザによる接続を判定した場合に、前記無線制御信号を送信する、
プログラム。
【請求項１２】
画像データ及び音声データの少なくとも一方の送受信を可能にするコンピュータが、
画像及び音声の少なくとも一方を出力する外部装置へ前記画像データ及び前記音声データの少なくとも一方を送信するステップと、
前記外部装置を起動または停止させるための無線制御信号を送信するステップと、
前記外部装置が起動しているか否かを検出するステップと、
前記情報処理装置が利用されるイベントの参加者ＩＤを含むスケジュール情報を取得するステップと、
前記参加者ＩＤで特定されるユーザによる接続を判定するステップと、を含み、
前記無線制御信号を送信するステップは、前記参加者ＩＤで特定されるユーザによる接続を判定した場合に、前記無線制御信号を送信する、
情報処理方法。